(57)【特許請求の範囲】
【請求項１】
切断材に当接させるベースと、該ベースの上面側に支持された切断機本体を備え、該切断機本体は、駆動モータを収容するモータケースと、該モータケースに接合されたブレードケースとを備え、前記モータケースには作業者が一方の手で掴むためのメインハンドルと他方の手で掴むためのグリップ部が突設され、該グリップ部の下方に当該切断機本体を前記ベースに対して上下に傾動可能に支持するための傾動アーム部が突設された切断機であって、
前記グリップ部の突出基部と前記傾動アーム部の突出基部との間の挟間部に切断作業用の照明装置を配置したことを特徴とする切断機。
【請求項２】
請求項１に記載の切断機であって、前記モータケースにおける前記グリップ部と隣接する部位に、ベースに支持されるケース取付部が突設され、そのグリップ部の突出基部と前記ケース取付部の突出基部間に前記照明装置が配置されていることを特徴とする切断機。
【請求項３】
請求項１又は２に記載の切断機であって、前記照明装置は、前記ブレードケース内に配置される切断刃の刃先よりも後方に位置していることを特徴とする切断機。
【請求項４】
請求項１〜３のいずれかに記載の切断機であって、前記照明装置は、２つの照明具を備えており、一方の照明具が切断部位を照らし、他方の照明具が前記ベースに設けられたスミ線ガイドを照らす構成としたことを特徴とする切断機。
【請求項５】
請求項１〜４のいずれかに記載の切断機であって、前記照明装置は、前記駆動モータの冷却風排出口として備えられた風窓の風下側に位置していることを特徴とする切断機。
【請求項６】
請求項４に記載の切断機であって、前記照明装置の照明具が発光ダイオードによって構成されていることを特徴とする切断機。
【発明の詳細な説明】
【０００１】
【発明の属する技術分野】
この発明は、例えば携帯用のマルノコ等の切断機であって、暗い部位を明るく照らすことができる切断作業用の照明装置を備えた切断機に関する。
【０００２】
【従来の技術】
従来、この種の照明装置には、例えば特開平１１−１７０２０３号公報に開示されているものがあった。この従来の照明装置は、切断機本体の前部であって切断部位（切断刃の前端部であって、切断材が刃先によって実際に切断されている部位、以下同じ）の側方、すなわち、切断機本体をベースに傾動調整可能に取り付けるための傾動支持部に照明具を配置し、該照明具によって切断部位を照らす構成となっていた。この照明具によって切断部位を明るく照らすことにより、作業者は暗い場所でもスミ線に対する切断刃の刃先の位置を目で確認しながら切断作業を効率よく正確に行うことができる。
【０００３】
【発明が解決しようとする課題】
上述したように、上記公報記載の照明装置は、切断機の傾動支持部、詳しくはモータケースの前端部に前方に突き出るように形成される傾動アーム部に組み付けられている。この傾動アーム部は切断部位の側方に対向状に位置している関係で、切断部位を近くで照らすのに好都合である。しかしながら、モータケースから出っ張った形態で設けられる傾動アーム部は、強度的に弱い箇所であり、例えば切断機を落下したような場合において、形状的にあるいは場所的に大きな外力が作用し易い。このことから、傾動アーム部は破損する可能性が高く、破損時には照明装置が露出するといった問題がある。
【０００４】
本発明は、上述した従来の問題点に鑑みてなされたものであり、その目的とするところは、照明装置を備えた切断機において、落下等によって加えられる外力から照明装置を保護し、耐久性を向上することにある。
【０００５】
【課題を解決するための手段】
上記課題を達成するため、本発明に係る切断機は、特許請求の範囲の各請求項に記載の通りの構成を備えた。
請求項１に記載の切断機においては、駆動モータを収容するモータケースと、該モータケースに接合されたブレードケースとを備え、しかもモータケースには作業者が手で掴むためのグリップ部が突設されている切断機において、モータケースのブレードケースとの接合部周辺であって、かつグリップ部の突出基部付近に、切断作業用の照明装置を配置する構成としている。
モータケースのブレードケースとの接合部周辺は、該ブレードケースとの接合に基づき強度が確保されている箇所であり、しかもモータケースから突設されるグリップ部の突出基部付近は、外力が直接的に作用し難い部位である。従って、このような位置に照明装置を配置することで、切断機の取扱中において、例えば該切断機を落下した場合等に、照明装置に対して外力が作用することを回避あるいは軽減し、照明装置を保護することができる。これにより、照明装置の耐久性が向上される。
【０００６】
モータケースには、グリップ部に隣接した部位に、ベースに支持されるケース取付部が突設されている。請求項３に記載の発明では、照明装置を、グリップ部の突出基部とケース取付部の突出基部との間に配置する構成としている。これにより、照明装置は、恰もモータケースに形成された２つの突出部分によって保護されるといった形態となり、保護効果がより高められる。
【０００７】
この場合において、請求項３に記載したように、照明装置は切断刃の刃先よりも後方に配置されていることが好ましい。切断作業時に発生する切り粉は、通常の場合、切断刃の前方に向かって飛散する。従って、照明装置を刃先より後方に配置することで照明装置（透明カバー部）には、切り粉が当たり難くなる。このため、切り粉の侵入あるいは切り粉によって透明カバー部が損傷あるいは曇るといった問題が回避できる。
【０００８】
また、請求項４に記載したように、照明装置は、２つの照明具を有する。そして、一方の照明具が切断部位を照らし、他方の照明具がベースに設けられたスミ線ガイドを照らす構成としている。グリップ部は切断部位およびスミ線ガイドよりも高い位置に設定されている。このため、照明具は切断部位あるいはスミ線ガイドを斜め上方から照らすことになり、照明具の光が作業者の目に直接入射されることがなく、切断作業の障害にならない。
【０００９】
また、請求項５に記載の発明においては、照明装置が冷却風排出用の風窓の近傍に位置している。このことにより、風窓から放出される冷却風で照明装置を冷却できるとともに、照明装置に向かって切り粉が飛散したときは、これを吹き飛ばして透明カバー内へ侵入することを防止することができる。このため、透明カバー部が損傷あるいは曇るといった問題を回避できる。
更に、請求項６に記載したように、照明装置の照明具が発光ダイオードによって構成されていることが好ましい。発光ダイオードは熱の発生が少ない。これにより、グリップ部を握って切断作業を行う際、作業者に対する熱的な悪影響を回避することができる。
【００１０】
【発明の実施の形態】
次に、本発明の実施形態を図１〜図６に基づいて説明する。図１および図２は、本実施形態の切断機１を示している。この切断機１は、木工用マルノコ盤であって、切断材Ｗに当接させるベース２と、該ベース２に対して切断方向左右に傾動可能に支持された切断機本体３と、切断部位（切断刃２２の前端部であって、切断材Ｗが刃先によって実際に切断されている部位、以下同じ）およびスミ線合わせ用のガイド部（スミ線ガイド４ａ，４ｂ）を明るく照らすための切断作業用の照明装置５を備えている。なお、この明細書において、切断方向とは、切断作業において当該切断機１が移動する方向であって、切断が進行する方向をいう。従って、図１および図２において右方が切断方向となる。
【００１１】
ベース２の前端（図において右端部）に、スミ線ガイド４ａ，４ｂが設けられている。本例では、直角切り用のスミ線ガイド４ａと、４５゜で傾斜切りを行う場合のスミ線ガイド４ｂの２種類が設定されている。このベース２を切断材Ｗの上面に乗せ掛けて、該切断材Ｗの上面に予め描いたスミ線（図示省略）にスミ線ガイド４ａ（または４ｂ）を位置合わせしつつ当該切断機１を移動させることにより刃先をスミ線に沿って移動させることができ、これにより切断材Ｗをスミ線に沿って直角切り（または４５゜で傾斜切り）することができる。
切断刃２２を切断材Ｗに対して直交させることにより直角切りが行われ、切断刃２２を切断材Ｗに対して４５゜傾斜させることにより４５゜で傾斜切りが行われる。切断刃２２の傾斜は切断機本体３をベース２に対して傾動させることにより行う。
【００１２】
このベース２の前部と後部の２箇所に設けた傾動支持部Ｆ，Ｒを介して切断機本体３が切断方向左右へ傾動可能に支持されている。ベース２の前部であって、上記スミ線ガイド４ａ，４ｂの後側に、前側の傾動支持部Ｆが設けられている。この前側の傾動支持部Ｆは、ベース２の上面から上方へ立ち上げ状に設けた傾動ベース６を備えている。この傾動ベース６の後面側には傾動軸７を介して傾動ブラケット８が上下に傾動可能に設けられている。図１に示すように傾動ベース６に対する傾動ブラケット８の傾動位置は、傾動ブラケット８に設けた固定ボルト８ｂに対して固定ナット８ｄを締め込むことにより固定される。固定ナット８ｄには、その締め込み、緩め操作の便宜を図るためにツマミ８ｃが取り付けられている。
傾動ブラケット８の傾動先端側には２つの支持縁部８ａ，８ａが相互に平行な状態で後側へ張り出すように設けられている。両支持縁部８ａ，８ａ間に、切断機本体３の前端部に設けた傾動アーム部２９（本発明のケース取付部に対応）が支持軸９を介して上下に傾動可能に支持されている。図２に示すように傾動軸７は、上記支持軸９に対してその軸心を直交させる向きに配置されている。
【００１３】
一方、ベース２の後部には、後側傾動支持部Ｒが設けられている。この後側傾動支持部Ｒは、ベース２の上面に固定した傾動ベース１０を備えている。この傾動ベース１０には、支持軸１１を介してガイドブラケット１２が切断方向右側へ傾動可能に取り付けられている。この後側の支持軸１１は、前記前側の傾動軸７と同軸に配置されている。図２に示すように、このガイドブラケット１２は、ブレードケース２０の背面側に取り付けた固定ボルト１３に対して固定ナット１５を締め込むことによりブレードケース２０に固定される。固定ナット１５はレバー１４を上下に回動させることにより固定ボルト１３に対して締め込み、また緩めることができる。
ガイドブラケット１２には上下に長い円弧形状のガイド溝１２ａが設けられている。このガイド溝１２ａを介してガイドブラケット１２が切断機本体３のブレードケース２０の背面に固定されている。
前記前側の傾動ブラケット８が傾動軸７を中心にして上下に傾動可能に支持され、かつ後側のガイドブラケット１２が支持軸９を中心にして切断方向左右に傾動可能に支持されていることにより、切断機本体３を切断方向に対して左右に傾動させることができ、これにより切断刃２２の切断材Ｗに対する傾斜角度を変更して直角切りまたは傾斜切りを行うことができる。
また、固定ナット１５を緩めた状態で、前側の支持軸９を中心にして切断機本体３を上下に傾動させて、切断刃２２のベース２下面からの突き出し量を変化させることにより切断刃２２の切断材Ｗに対するいわゆる切り込み深さを変更することができる。
【００１４】
次に、切断機本体３は、上記ブレードケース２０と、駆動モータを内蔵したモータケース２１を備えている。ブレードケース２０の裏面側には円筒形状のギヤケース部２０ａが設けられており、このギヤケース部２０ａにモータケース２１が突き合わされてブレードケース２０とモータケース２１が接合されている。モータケース２１に内蔵した駆動モータの出力は、ギヤケース部２０ａに内蔵したギヤ列により減速されて円形の切断刃２２の回転として出力される。切断刃２２はブレードケース２０の内側に位置している。
切断刃２２の上側ほぼ半分の範囲の刃先がブレードケース２０により覆われ、下側ほぼ半分の範囲が開閉可能なセーフティカバー２３により覆われている。セーフティカバー２３は切断作業時には上方へ回動し、これにより切断刃２２のベース２の下面側に突き出す範囲が露出される。
【００１５】
図３には、切断機本体３のうちモータケース２１側が単独で示されている。このモータケース２１は、その上面から斜め後方へ突き出されて後面に至る略Ｃ形のメインハンドル２５と、該メインハンドル２５よりも前側であって、当該モータケース２１の前面から前方へ突き出すように設けられたグリップ部２６を備えている。メインハンドル２５の内周側には上記駆動モータを起動停止させるためのメインスイッチ２７が配置されている。また、このメインハンドル２５の後部には電源コード２８が引き込まれている。なお、メインハンドル２５は、切断方向と平行な方向を切り割り線とする２つ割に形成されている。そして、ブレードケース２０と対向する側面側がカバー部材２５ａとされ、このカバー部材２５ａはメインハンドル２５に対して、例えば弾性フックを利用した掛合作用によって固着され、必要に応じて取り外すことができる。
作業者は、一方の手でメインハンドル２５を把持し、他方の手でグリップ部２６を把持して当該切断機１を両手でしっかりと支えながら切断方向へ移動させることができる。
なお、グリップ部２６の下方に前述した傾動アーム部２９が備えられ、この傾動アーム部２９は前方に向かって突き出るように形成されている。すなわち、モータケース２１の前端部側には、傾動アーム部２９とグリップ部２６が上下に一定間隔を隔てて隣接されている。
【００１６】
照明装置５は、モータケース２１のギヤケース部２０ａとの接合部周辺であって、かつ上記グリップ部２６の突出基部付近、より具体的には、グリップ部２６の突出基部と傾動アーム部２９の突出基部との挟間部２１ａに設置（内蔵）されている。図５および図６に示すように、照明装置５は、長方形状に形成された半透明のケース５ｅ内に２個の照明具５ａ，５ｂが搭載された基板５ｃを収容し、それを透明カバー５ｆによって被覆してなるユニット構造であり、ケース５ｅ内には樹脂がモールドされ、これにより切り粉の侵入が防止されている。
本実施形態では、照明具５ａ，５ｂには発光ダイオード（ＬＥＤ）が用いられている。両照明具５ａ，５ｂは、上記メインハンドル２５の前側基部付近の側面（図１において手前側の側面）に配置した照明スイッチ５ｄをオンオフ操作することにより点灯、消灯させることができる。照明装置５の電源には、前記電源コード２８により得られる当該切断機１の駆動電力が流用されている。
【００１７】
図４に示すように、モータケース２１の挟間部２１ａには、照明装置５を取り付けるために、ブレードケース２０との対向面側を開口した長方形状の取付凹部２１ｂが所要の奥行きを持って縦長に形成されている。上記のように構成された照明装置５は、図５に示すように、照明具５ａ，５ｂを手前側にして取付凹部２１ｂ内に差し込まれるとともに、透明カバー５ｆの端部を前述したメインハンドル２５のカバー部材２５ａの端部によって押さえ込むことで抜け止めされている。従って、カバー部材２５ａを取り外した状態では、照明装置５を取付凹部２１ｂから取り出すことができる。本実施形態では、この取り出しを容易化するために、図４に示すように取付凹部２１ｂの上壁面側にスリット部２１ｃを設け、このスリット部２１ｃから適当な工具を差し込んでケース５ｅの外面に設けた取出用突起５ｇに工具先端を引掛け、梃子の原理を利用して容易に抜き取ることができる構成としている。
また、取付凹部２１ｂの４つの各隅部には、位置決めガイド２１ｄが形成されている。この位置決めガイド２１ｄは、テーパー面を有しており、そのテーパー面によって取付凹部２１ｂに嵌め込まれるケース５ｅを案内して位置決めする。この位置決めされた状態でケース５ｅは、カバー部材２５ａによって抜け止めされる。
【００１８】
図２によく示されているように、２個の照明具５ａ，５ｂのうち、図示後側の照明具５ａは照射方向が切断部位に向けられ、図示前側の照明具５ｂは照射方向が前記スミ線ガイド４ａ，４ｂに向けられている。図１において切断部位が矢印Ｃで示されている。なお、図２では、照明具５ａ，５ｂの照射方向を分かり易くするために、該照明具５ａ，５ｂの位置をずらして図示しているが、実際には２つの照明具５ａ，５ｂは、図５に示す如く上下方向にほぼ一直線上に配置されている。
【００１９】
また、挟間部２１ａに配置される照明装置５は、ギヤケース部２０ａの前面側に形成された冷却風排出用の風窓２０ｄ（図２参照）の近傍に位置している。すなわち、駆動モータを冷却するために、ギヤケース部２０ａの前面側にはモータケース２１内に取り入れられた冷却風を排出する風窓２０ｄが形成され、この風窓２０ｄから放出（図２に放出方向を矢印で示す）された冷却風の一部が照明装置５の近くを流動するように設定されている。また、図１および図２に示すように、照明装置５は切断刃２２の先端よりも後側に位置している。
【００２０】
以上のように構成した実施形態の切断機１によれば、メインハンドル２５に設けた照明スイッチ５ｄをオンすると、モータケース２１のグリップ部２６の突出基部付近に内蔵した照明具５ａ，５ｂが点灯する。照明具５ａは切断部位Ｃに向けられ、照明具５ｂはスミ線ガイド４ａ，４ｂに向けられている。このため、切断部位Ｃおよびその周辺とスミ線ガイド４ａ，４ｂおよびその周辺が同時に照らされる。このため、例えば暗い場所で切断作業を行う場合であっても切断部位Ｃとスミ線ガイド４ａ，４ｂの双方が明るく照らされるので、作業者は切断部位Ｃにおける刃先のスミ線に対する位置を目で確認しながら切断作業を精度よく楽に行うことができるとともに、スミ線ガイド４ａ（または４ｂ）のスミ線に対する位置をも目で確認しながら直角切り（または４５゜で傾斜切り）を行うことができる。
この場合、照明具５ａ，５ｂは、切断部位Ｃおよびスミ線ガイド４ａ，４ｂよりも高い位置に設けられているため、その照射方向は斜め下方となり、作業者にとって眩しくなく、作業の障害にならない。
【００２１】
また、本実施形態においては、照明装置５を、強度的保障の高いモータケース２１のギヤケース部２０ａとの接合部周辺であって、かつグリップ部２６の突出基部付近、詳しくは、グリップ部２６と傾動アーム部２９の突出基部間である挟間部２１ａに配置する構成としたので、切断機１を落下したような場合に、たとえグリップ部２６や傾動アーム部２９が破損しても、照明装置５の充電部は保護される。すなわち、本実施形態によれば、照明装置５を落下等による外力が作用し難い箇所に配置することで外力から保護し、しかも切断部位Ｃおよびスミ線ガイド４ａ，４ｂの双方を明るく照らすことができる。
また、切断作業時に発生する切り粉の多くは、切断刃２２の前方に飛散する。本実施形態では、切断刃２２の前側の刃先よりも後方に照明装置５を配置する構成のため、照明装置５に切り粉が当たるのを回避し、切り粉による傷付きを防止することができる。また、風窓２０ｄから放出する冷却風が照明装置５の照明部に向かって流れるため、この冷却風によっても前記切り粉が降りかかるのを防止する。また、冷却風は照明具５ａ，５ｂとして発熱するタイプを用いた場合であれば、それを冷却することができる。
【００２２】
なお、照明具５ｂによれば、グリップ部２６の側面から斜め下方へ向けて明かりがスミ線ガイド４ａ，４ｂに照射される。その照射経路は、前側傾動支持部Ｆよりも上側を通過するように、当該照明具５ｂの位置あるいは前側傾動支持部Ｆの形状および位置等が設定されており、これにより照明具５ｂから照射される明かりが前側傾動支持部Ｆによって遮られないようになっている。
また、例示した照明装置５の照明具５ａ，５ｂを傾動アーム部２９とグリップ部２６の突出基部間である挟間部２１ａに配置する構成としたので、配線の取り回しが容易であり、また配線がモータケース２１側のみで足り、ブレードケース２０との間に跨って配線する必要がないので、当該切断機１の組付け時あるいはメンテナンス時の便宜を図ることができる。
【００２３】
なお、本発明は図示の実施形態に限定されるものではなく、その要旨を逸脱しない範囲内では種々変更を加えることができる。
例えば、前述した実施形態では、２個の照明具５ａ，５ｂを備え、切断部位Ｃとスミ線ガイド４ａ，４ｂとをそれぞれ照らす場合で説明したが、照明具５ａ，５ｂを一個とし、切断部位Ｃ又はスミ線ガイド４ａ，４ｂのいずれか一方を照らす構成に変更してもよい。また、照明スイッチを２個配置して照明具５ａ，５ｂをそれぞれ独立して点灯、消灯可能な構成としてもよい。
また、照明装置５の電源として、当該切断機駆動用の電源を流用する構成を例示したが、例えば別途乾電池等を電源としてもよい。また、照明具５ａ，５ｂは発光ダイオード（ＬＥＤ）によって構成したので、発熱によってグリップ部２６が熱くなるといった不具合が生じないという利点を有するが、発光ダイオード（ＬＥＤ）に限らず、通常の豆電球に変更してもよい。
【００２４】
【発明の効果】
以上詳述したように、本発明によれば、照明装置を備えた切断機において、落下等による外力から照明装置を保護し、耐久性を向上することができる。
【図面の簡単な説明】
【図１】本発明の実施形態に係る切断機の側面図である。
【図２】同じく切断機の平面図である。
【図３】切断機本体のうちモータケース側を単独で示す斜視図である。
【図４】モータケースの前端側を示す部分側面図である。
【図５】照明装置の取付状態を示す断面図である。
【図６】同じく照明装置の断面図である。
【符号の説明】
Ｃ…切断部位
１…切断機
２…ベース
３…切断機本体
４ａ…スミ線ガイド（直角切り用）
４ｂ…スミ線ガイド（４５゜傾斜切り用）
５…照明装置
５ａ…照明具（切断部位用）、５ｂ…照明具（スミ線ガイド用）
Ｆ…前側傾動支持部、Ｒ…後側傾動支持部
２０…ブレードケース、２０ａ…ギヤケース部
２１…モータケース
２２…切断刃
２５…メインハンドル
２６…グリップ部
３９…傾動アーム部
【図１】
0004823445.tif 000002
【図２】
0004823445.tif 000003
【図３】
0004823445.tif 000004
【図４】
0004823445.tif 000005
【図５】
0004823445.tif 000006
【図６】
0004823445.tif 000007